(57)【特許請求の範囲】
【請求項１】
海水や化学液を有する特殊液を吸入して吐出する電動ポンプの特殊液用の電動ポンプ軸であって、
電動ポンプのモータ軸とポンプ軸を接続するその接続部を最大径として、ポンプ軸をチタン材で形成してこのチタン材のポンプ軸の端部を最大径とした接続部の炭素鋼材のモータ軸に嵌合し、この接続部にノックピンの弛み止め具を挿入して強固に接続するとともに、この接続部の周面を研削または切削して電動ポンプ軸に一体的に仕上げ、
前記チタン材のポンプ軸を接続した最大径部の側部を段落した段落部を軸受部として電動ポンプに配設したことを特徴とする特殊液用の電動ポンプ軸。
【請求項２】
チタン材のポンプ軸をモータ側の側端部の最大径とした接続部に螺着または焼嵌めして一体的に接続した請求項１に記載の特殊液用の電動ポンプ軸。
【請求項３】
チタン材のポンプ軸を鍛造加工して成形したものである請求項１または２に記載の特殊液用の電動ポンプ軸。
【請求項４】
海水や化学液を有する特殊液を吸入して吐出する電動ポンプの特殊液用の電動ポンプ軸の製造方法であって、
電動ポンプのモータ軸とポンプ軸を接続するその接続部を最大径として、ポンプ軸をチタン材で形成してこのチタン材のポンプ軸の端部を最大径とした接続部の炭素鋼材のモータ軸に嵌合し、この接続部にノックピンの弛み止め具を打ち込んで挿入して強固に接続するとともに、この接続部の周面を研削または切削して電動ポンプ軸に一体的に仕上げ、
前記チタン材のポンプ軸を接続した最大径部の側部を段落した段落部を軸受部として電動ポンプに配設可能に形成することを特徴とする特殊液用の電動ポンプ軸の製造方法。
【発明の詳細な説明】
【０００１】
【発明の属する技術分野】
本発明は、電動ポンプ分野における特殊液用の電動ポンプ軸およびその製造方法に関するものである。
【０００２】
【従来の技術】
最近、海水や化学液を取扱う電動ポンプにあっては、海水や化学液と接触しやすい電動ポンプ軸にチタン材を使用して耐久性をはかることが検討されている。
【０００３】
チタン材は、ステンレス鋼以上に耐食性があるが、非常に高価であり、モータとポンプの軸を総チタン材で製造すると電動ポンプが高価格となるとともに、非磁性体であるためモータの特性が悪くなるものであった。
【０００４】
【発明が解決しようとする課題】
そのため、上記電動ポンプ軸のポンプ軸側だけをチタン材とし、安価な炭素鋼のモータ軸と溶接で接合することが考えられる。
【０００５】
しかし、チタン材の溶接部分は、その組合せる材料の成分によって溶接強度のばらつきが生じやすく、接合強度が非常に不安定になるとともに、接合部をどの位置にするかが課題であった。
【０００６】
【課題を解決するための手段】
本発明は、上記のような点に鑑みたもので、上記の課題を解決するために、海水や化学液を有する特殊液を吸入して吐出する電動ポンプの特殊液用の電動ポンプ軸であって、電動ポンプのモータ軸とポンプ軸を接続するその接続部を最大径として、ポンプ軸をチタン材で形成してこのチタン材のポンプ軸の端部を最大径とした接続部の炭素鋼材のモータ軸に嵌合し、この接続部にノックピンの弛み止め具を挿入して強固に接続するとともに、この接続部の周面を研削または切削して電動ポンプ軸に一体的に仕上げ、前記チタン材のポンプ軸を接続した最大径部の側部を段落した段落部を軸受部として電動ポンプに配設するようにしたことを特徴とするとする特殊液用の電動ポンプ軸およびその製造方法を提供するにある。
【０００７】
【発明の実施の形態】
本発明の特殊液用の電動ポンプ軸およびその製造方法は、海水や化学液を有する特殊液を吸入して吐出する電動ポンプの特殊液用の電動ポンプ軸であって、電動ポンプのモータ軸とポンプ軸を接続するその接続部を最大径として、ポンプ軸をチタン材で形成してこのチタン材のポンプ軸の端部を最大径とした接続部の炭素鋼材のモータ軸に嵌合し、この接続部にノックピンの弛み止め具を挿入して強固に接続するとともに、この接続部の周面を研削または切削して電動ポンプ軸に一体的に仕上げ、前記チタン材のポンプ軸を接続した最大径部の側部を段落した段落部を軸受部として電動ポンプに配設するようにしたことを特徴としている。
【０００８】
特殊液用の電動ポンプ１の電動ポンプ軸２は、図１のようにポンプ軸３側をチタン材で形成して、このチタン材のポンプ軸３の端部を炭素鋼材のモータ軸４に嵌合し、これらの軸が弛まないように接続部５にノックピンの弛み止め具６を打ち込んで強固に一体的に接続している。
【０００９】
特に、モータ軸４のポンプ軸３との接続部５を最大径としてその端部に嵌合孔７を設け、ポンプ軸３のモータ側の側端部を軸受部８として図２のように電動ポンプ１の軸受９に軸支するようにするとともに、その端側を段落部とした突出部１０をモータ側に突出して上記したモータ軸４の嵌合孔７に螺合するなど接続するようにしている。
【００１０】
上記ポンプ軸３とモータ軸４との接続は、図１のように螺着するほかに、焼嵌めしたり、これらの嵌合部に所定の接着剤を塗着して接合することができ、この接続部５の周面を研削または切削して仕上げるのが好ましい。
【００１１】
なお、上記した電動ポンプ１は、海水や化学液の特殊液に適用できるものであるが、必要によりその他の電動ポンプにも転用することができる。１１は回転子である。
【００１２】
【実施例】
図１、図２は、本発明の小型の雑排水用水中ポンプの一実施例を示すものである。電動ポンプ１のケーシング１２は所要の樹脂材で形成していて、その電動ポンプ軸２のモータ軸４をＳ３５Ｃの炭素鋼で形成して、そのモータ部を３０ｍｍ径、接続部５を３５ｍｍ径の最大径としている。
【００１３】
そして、ポンプ軸３をチタン材で形成して、インペラ１３の挿着部１４を２５ｍｍ径とし、そのモータ側をやや太径とした軸受部８として電動ポンプ１の軸受９に軸支している。
【００１４】
そしてまた、このポンプ軸３の軸受部８のモータ側を段落し、この突出部１０に雄ねじ１５を螺刻して、上記接続部５の端部の嵌合孔７の雌ねじ１６に螺合して接続し、ノックピン孔１７に弛み止め具のノックピン６を打ち込み、周面を研削して芯出しして仕上げている。
【００１５】
そのため、回転子に嵌入して電動ポンプを組み立てて使用し、雑排水中に塩分や化学液等が混入していても、電動ポンプ軸のポンプ軸をチタン材としているため、防錆、耐食性に優れて耐久性を有するものである。
【００１６】
また、電動ポンプ軸を上記のように接続しているため、高価なチタン材を有効に使用してできるだけ価格を抑えられ、しかもチタン材の端部を軸支して、モータ軸の最大径の接続部で強固に接続しているので、捻じり破壊、曲げ破壊、ヒートショックなどに対しても耐久性を有する。
【００１７】
なお、上記では、チタン材を切削加工して形成しているが、温間、冷間の鍛造加工することもでき、必要なノックピン、ねじ孔のみを切削加工して一層の耐久性をはかることができる。
【００１８】
【発明の効果】
以上のように本発明にあっては、  電動ポンプのモータ軸とポンプ軸を接続するその接続部を最大径として、ポンプ軸をチタン材で形成してこのチタン材のポンプ軸の端部を最大径とした接続部の炭素鋼材のモータ軸に嵌合し、この接続部にノックピンの弛み止め具を挿入して強固に接続するとともに、この接続部の周面を研削または切削して電動ポンプ軸に一体的に仕上げることによって、チタン材のポンプ軸をモータ軸に強固に接続することができ、防錆、耐食性を必要とするポンプ軸側のみチタン材を使用するので、電動ポンプの価格が高騰するのを抑制できるとともに、モータの特性を悪くすることなく、海水や化学液を有する特殊液に耐久性よく使用することができる。
【００１９】
また、上記チタン材のポンプ軸の接続部にノックピンの弛み止め具を挿入し、接続部の周面を研削または切削して電動ポンプ軸に一体的に仕上げるので、強固に接続できるとともに、捻じり、曲げ、ヒートショックに耐久性よく、インペラを回転駆動でき、上記接続部の周面を研削または切削して電動ポンプ軸に仕上げることによって、接続部を奇麗に仕上げられ、一本の軸のようにできる。
【００２０】
またさらに、前記チタン材のポンプ軸を接続した最大径部の側部を段落した段落部を軸受部として電動ポンプに配設するようにしたことによって、上記したように強固に接続でき、接続した電動ポンプ軸を安定して軸支できてインペラを回転できる。
【００２１】
さらにまた、チタン材のポンプ軸をモータ側の側端部の最大径とした接続部に螺着または焼嵌めして一体的に接続したことによって、強固に接続できて、捻じり、曲げ、ヒートショックに耐久性よく、インペラを回転駆動できる。
【００２２】
さらにまた、チタン材のポンプ軸を鍛造加工して成形することによって、ポンプ軸を一層強固にできて強固に接続できるとともに、捻じり、曲げ、ヒートショックに耐久性よく、インペラを回転駆動できる。
【図面の簡単な説明】
【図１】    本発明の一実施例の側面図、
【図２】    同上の電動ポンプに使用した横半側断面図。
【符号の説明】
２…電動ポンプ軸          ３…ポンプ軸        ４…モータ軸
５…接続部                ６…弛み止め具      ７…嵌合孔
８…軸受部              １０…突出部
【図１】
0004416860.tif 000002
【図２】
0004416860.tif 000003